(57)【特許請求の範囲】
【請求項１】
ＩＤカードが貼付されたカード支持用紙と、所定の記入欄を備えたＩＤカード登録用紙とが分離可能に一体的に設けられるとともに、前記ＩＤカードと前記ＩＤカード登録用紙には同一の電子的読み取り用コードが付され、前記ＩＤカード登録用紙の記入欄に所定事項を記入する前後のいずれかにおいて、前記カード支持用紙と前記ＩＤカード登録用紙とを分離し、前記ＩＤカード登録用紙に記入された所定事項を適宜な入力手段によって入力するとともに、前記ＩＤカード登録用紙に付された電子的読み取り用コードを適宜な電子的読み取り手段で読み取って入力し、このコードを他の入力されたデータとともに登録するためのＩＤカード発行用帳票であって、
前記カード支持用紙は、前記電子的読み取り用コードに対応づけられた暗証番号が予め付され、該暗証番号を隠蔽するように前記ＩＤカードが剥離可能に貼付されてなることを特徴とするＩＤカード発行用帳票。
【請求項２】
ＩＤカードが貼付されるカード支持用紙と、データが記入される記入欄を備えたＩＤカード登録用紙とが一体的に設けられたＩＤカード発行用帳票を用い、前記カード支持用紙に前記ＩＤカードを貼付して該ＩＤカードを発行するＩＤカード発行方法であって、
前記カード支持用紙に付される暗証番号と前記ＩＤカード及び前記ＩＤカード登録用紙に付されるコードとを対応づけてデータベースに登録する工程と、
前記カード支持用紙の前記ＩＤカードが貼付される位置に前記暗証番号を付す工程と、
前記カード支持用紙の前記暗証番号を隠蔽する位置に前記ＩＤカードを貼付する工程と、
前記ＩＤカードと前記ＩＤカード登録用紙とに同一の前記コードを付す工程と、
前記ＩＤカード登録用紙に記入されたデータを入力する工程と、
前記ＩＤカード登録用紙に付されたコードを読み取る工程と、
前記入力されたデータと前記ＩＤカード登録用紙から読み取られたコードとを対応づけて前記データベースに登録する工程とを有するＩＤカード発行方法。
【発明の詳細な説明】
【０００１】
【発明の属する技術分野】
本発明は、ＩＤカードの発行用帳票であって、同一の電子的読み取り用コ一ドがＩＤカードとＩＤカード登録用紙に付されたＩＤカード発行用帳票であって、特にカード発行と同時にあらかじめ登録した暗証番号も付与できるようにしたＩＤカード発行用帳票及びＩＤカード発行方法に関する。
【０００２】
【従来の技術】
従来のＩＤカードの発行は、ＩＤカードの発行申込書に記入された申込者の住所、氏名等の所定事項を、ＩＤカードのコード、通常はカード番号と対応付けて入力し、登録するのが一般的である、そしてこれらの入力は、手入力で行われるのが通常である。また、ＩＤカードは、使用形態において、セキュリティを高める場合には、少なくとも暗証番号をＩＤカード発行時までに登録することにより、取引の際、ＩＤカードに付した会員番号または、カード番号と共にこの暗証番号を使用して本人確認をすることが望ましいが、発行申込書に暗証番号などを記入する場合は、多くの人の目にさらされる可能性が高くセキュリティ上の問題が残る。
【０００３】
上述の現状において、従来にあってはまず、ＩＤカードのコード登録に際して、入力時のミスが生じ易く、特に、コードに関する入力ミスが生じ易いという不都合がある。また、暗証番号をＩＤカード使用者にその場で書き込ませ、それに基づいて登録する場合は、受け付け担当者や、申込伝票を整理する者等多くの人手を介することになり、機密性が低下する。本発明は、これらの不都合を解消しＩＤカードのコード登録にミスを生ずることがなく、また暗証番号が不用意に第三者に漏れないようにしたＩＤカード発行用伝票及びＩＤカード発行方法を提供することを目的とする。
【０００４】
【課題を解決するための手段】
本発明のＩＤカード発行用帳票は、ＩＤカードが貼付されたカード支持用紙と、所定の記入欄を備えたＩＤカード登録用紙とが分離可能に一体的に設けられるとともに、前記ＩＤカードと前記ＩＤカード登録用紙には同一の電子的読み取り用コードが付され、前記ＩＤカード登録用紙の記入欄に所定事項を記入する前後のいずれかにおいて、前記カード支持用紙と前記ＩＤカード登録用紙とを分離し、前記ＩＤカード登録用紙に記入された所定事項を適宜な入力手段によって入力するとともに、前記ＩＤカード登録用紙に付された電子的読み取り用コードを適宜な電子的読み取り手段で読み取って入力し、このコードを他の入力されたデータとともに登録するためのＩＤカード発行用帳票であって、前記カード支持用紙は、前記電子的読み取り用コードに対応づけられた暗証番号が予め付され、該暗証番号を隠蔽するように前記ＩＤカードが剥離可能に貼付されてなることにより、入会受け付けの際、ＩＤカード登録用紙に記入された所定事項を適宜な入力手段によって入力するとともに、ＩＤカード登録用紙に付された電子的読み取り用コードを適宜な電子的読み取り手段で読み取って入力し、このコードを他の入力されたデータとともに登録してＩＤカードを発行するとともに、その場では暗証の登録は行わないようにすることにより、ＩＤカードのコード登録にミスを生ずることがなくまた、暗証番号が不用意に漏れないようにした。
また、ＩＤカードが貼付されるカード支持用紙と、データが記入される記入欄を備えたＩＤカード登録用紙とが一体的に設けられたＩＤカード発行用帳票を用い、前記カード支持用紙に前記ＩＤカードを貼付して該ＩＤカードを発行するＩＤカード発行方法であって、
前記カード支持用紙に付される暗証番号と前記ＩＤカード及び前記ＩＤカード登録用紙に付されるコードとを対応づけてデータベースに登録する工程と、
前記カード支持用紙の前記ＩＤカードが貼付される位置に前記暗証番号を付す工程と、
前記カード支持用紙の前記暗証番号を隠蔽する位置に前記ＩＤカードを貼付する工程と、
前記ＩＤカードと前記ＩＤカード登録用紙とに同一の前記コードを付す工程と、
前記ＩＤカード登録用紙に記入されたデータを入力する工程と、
前記ＩＤカード登録用紙に付されたコードを読み取る工程と、
前記入力されたデータと前記ＩＤカード登録用紙から読み取られたコードとを対応づけて前記データベースに登録する工程とを有するものである。
【０００５】
【実施例】
以下、本発明を小売店での販売促進用の会員カードの発行に適用した場合の好適な実施例を添付図面に基づいて詳細に説明する、ここにおいて、図１はＩＤカ一ドたる会員カード等を分離可能に設けた帳票の平面図、図２はそのＸ−Ｘ線断面図、図３はＩＤカードの発行及び利用のシステムを示す概略的な説明図、図４は図３のシステムも含むＩＤカードの発行から利用に至る流れを示す説明図である。
【０００６】
図１及び図２に示すように、ＩＤカード発行用帳票１は、ＩＤカード１５が貼付されたカード支持用紙３と、所定の記入欄を備えたＩＤカード登録用紙４とが切り離し用ミシン目２で分離可能に一体的に設けられるとともに、前記ＩＤカード１５と前記ＩＤカード登録用紙４には同一の電子的読み取り用コードとしてバーコード５、６（後述のカード番号８に対応する）が付され、前記ＩＤカード登録用紙４の記入欄に所定事項を記入する前後のいずれかにおいて、前記カード支持用紙３と前記ＩＤカード登録用紙４とを分離し、前記ＩＤカード登録用紙４に記入された所定事項を適宜な入力手段によって入力するとともに、前記ＩＤカード登録用紙４に付された電子的読み取り用コードを適宜な電子的読み取り手段で読み取って入力し、このコードを他の入力されたデータとともに登録するための帳票であって、前記カード支持用紙３に、貼付されるＩＤカード１５位置に予め暗証番号７を付して、その上にＩＤカード１５を貼付して暗証番号７を隠蔽してＩＤカード発行用帳票１が配布される。
【０００７】
この暗証番号７をカード支持用紙３に印字し、ＩＤカード１５を貼付したＩＤカード発行用帳票１を完成させる手段、工程は、各種提案されるが、いずれにしてもＩＤカード発行用帳票１を完成時点で、暗証番号７とバーコード５、６とがホストコンピュータのデータベースであらかじめ対応づけられて登録されていることが要件となる。
【０００８】
ＩＤカード登録用紙４の表面側には、「会員申込用紙」なるタイトルが印刷されており、あらかじめカード番号が印刷されたカード番号欄８、氏名記入欄９、住所記入欄１０、電話番号記入欄１１及び生年月日記入欄１２がそれぞれ設けられている。
【０００９】
また、カード支持用紙３の表面側にＩＤカード１５がその裏面側において剥離可能に接着され、会員カード１５の表面側には、「会員証」なるタイトルが印刷されるとともに、会員カードの正規の所有者が署名する署名欄１３が設けられている。
【００１０】
続いて、ＩＤカード１５の剥離可能な接着構造を図２に基づいて説明する。ＩＤカード１５は、所定の圧を加えると接着可能となり接着後に剥離可能で、剥離後には通常では接着しない感圧性接着剤２０を介して、カード支持用紙３に接着されている。この感圧性接着剤２０としては、例えば天然ゴム１００重量部に対し、スチレン２重量部とメタクリル酸メチル１０重量部とをグラフト共重合させて得られた天然ゴムラテックスに、テルペン樹脂系粘着付与剤５重量部を添加して感圧性のべ一ス接着剤とし、このべ一ス接着剤１００重量部に対し、平均粒径５μｍのシリカゲル２０重量部を添加してなるものが好適である。
【００１１】
次に、図３及び図４に基づいて、ＩＤカード１５の発行方法及び利用方法について説明する。図１状態にあるＩＤカード発行用帳票１からＩＤカード登録用紙４、ＩＤカード１５を貼付したカード支持用紙３を分離した後、あるいは分離する前に、ＩＤカード利用希望者に前記ＩＤカード登録用紙４の各記入欄９、１０、１１、１２に所定事項を記入してもらう。カード支持用紙３から分離された所定事項が記入済の前記ＩＤカード登録用紙４は、これら記入された所定事項をキーボード等の適宜な入力手段によってホストコンピュータのデータベースにオンラインまたは郵送にて登録するとともに、バーコード表示６を適宜なバーコードリーダーで読み取って同じく前記ホストコンピュータのデータベースに登録し、このコードを会員コードとして他の入力された所定事項とともにホストコンピュータのデータベースに登録し、ＩＤカード１５を発行する。
【００１２】
ＩＤカード１５の発行を受けた顧客は、商品の購入の度に自已の所持するＩＤカード１５を提示し、そのバーコード表示５はバーコードリーダーで読み取られて、ＰＯＳレジを介して購入商品、購入金額等のデータとともに、また暗証番号が取引に必要な場合は、ＩＤカード利用者がその入力用キーボード等で暗証番号を入力し、ホストコンピュータに送り、本人確認が行われ各種データがバーコード表示５に対応する会員のデータとして蓄積される。
【００１３】
なお、本発明は上述した実施例に限定されず、ＩＤカード１５の形態は、ＩＣ素子を埋設したＩＣカードであってもよく、また材質は、厚紙に限らず、合成樹脂、合成紙等であってもよい。さらに、ＩＤカード１５をＩＤカード発行用帳票１に剥離可能に支持する構成は、２枚の好ましくは透明な樹脂フィルムを、疑似接着層を介して剥離可能に接着し、各樹脂フィルムの前記疑似接着層と反対面側にそれぞれ粘着剤を設け、これら粘着剤によって、一方の樹脂フィルムをＩＤカード１５の裏面に、他方の樹脂フィルムをＩＤカード発行用帳票１の表面にそれぞれ接着したり、あるいは、ポリエステルからなるフィルムの裏面側に粘着剤を設けてＩＤカード発行用帳票１に接着する一方、表面側にはエチレン酢酸ビニル樹脂を主成分とする感熱性接着剤を溶融塗布し、この塗布面に会員カード１５の裏面側を重ねて８０℃程度の熱ロールによりラミネートしたものでもよい。
【００１４】
また、ＩＤカードは会員カードに限らず、身分証明証等でもよく、ＩＤカード登録用紙としてはＩＤカードに応じた種々の構成を採用することができる。さらにまた、電子的読み取り用コードがバーコードに限らず、２次元バーコードあるいは、磁気コードを書込み、読込みを行う磁気ストライプ等であってもよい。
【００１５】
【発明の効果】
以上詳細に説明したところで明らかなように、本発明によれば、ＩＤカードの発行に際して、ＩＤカード登録用紙に記入された所定事項を適宜な入力手段によって入力するとともに、ＩＤカード登録用紙に付された電子的読み取り用コードを適宜な電子的読み取り手段で読み取って入力し、このコードを他の入力されたデータとともに登録してＩＤカードを発行するので、ＩＤカードのコード登録にミスを生ぜず、しかも、暗証番号の登録は店頭や端末で環境の異なった場所で、多くの人手を介することがなく付与でき、あらかじめ登録することができるので、不用意にＩＤカードの暗証番号が第三者に知られることがない。また、暗証番号は、カード支持用紙からＩＤカードを剥がすことにより、カード利用者に簡単に通知でき確実で正確なＩＤカード発行業務を行うことができるという効果を奏する。
【図面の簡単な説明】
【図１】ＩＤカード発行用帳票の平面図。
【図２】図１のＸ−Ｘ線断面図。
【図３】ＩＤカードの発行及び利用のシステムを示す概略的な説明図。
【図４】図３のシステムを含むＩＤカードの発行から利用に至る流れを示す説明図。
【符号の説明】
１    ＩＤカード発行用帳票
２    切り離し用ミシン目
３    カード支持用紙
４    ＩＤカード登録用紙
５、６    バーコード表示部
７    暗証番号表示部
【図１】
0003822733.tif 000002
【図２】
0003822733.tif 000003
【図３】
0003822733.tif 000004
【図４】
0003822733.tif 000005